(57)【要約】【課題】光源の数を減少させることができ、全体的な厚さを減少させながら、輝度の均一性を向上させることができるバックライトユニットが提供される。【解決手段】本発明によるバックライトユニット及びこれを有する表示装置において、バックライトユニットは第１光を発生する光源、第１方向に延長された形状に形成された導光バーを含む。導光バーは、入射面を通じて第１光を受光して第１方向に第１光をガイドして第１光を第２光として出力する。制御パターンは、導光バーの第１方向に延長された面に提供されて第２光を第３光に変換させる。また、制御パターンは、第１方向に延長された形状に形成されて、第３光の出射角を制御する。したがって、バックライトユニットの光源の数を低減することができ、全体的な厚さを減少させながら、輝度の均一性を向上させることができる。【選択図】図１
2015118937.tif 000002
【特許請求の範囲】
【請求項１】
第１光を発生させる光源と、
第１方向に延長され、入射面を通じて前記第１光を受光して前記第１方向に前記第１光を導光して前記第１光を第２光として出力する導光バーと、
前記導光バーの前記第１方向に延長された表面に配置され、前記第２光を第３光に変換させ、前記第１方向に延長された形状を有し、前記第３光の出射角を制御する制御パターンと、を含むことを特徴とするバックライトユニット。
【請求項２】
前記制御パターンは、前記第１方向に延長されたレンチキュラーレンズ形状を有することを特徴とする請求項１に記載のバックライトユニット。
【請求項３】
前記制御パターンは、前記第１方向に延長されたプリズム形状を有することを特徴とする請求項１に記載のバックライトユニット。
【請求項４】
前記導光バーは、平面上で前記第１方向と直交する第２方向に沿った切断面は三角形状、四角形状、五角形状、及び半円状のいずれかの形状を有することを特徴とする請求項１に記載のバックライトユニット。
【請求項５】
前記導光バーの前記切断面が四角形状を有するとき、
前記導光バーは、底面、前記底面と対向する上面、前記底面と前記上面とを接続する第１及び第２側面を含み、
前記制御パターンは、前記第１及び第２側面にそれぞれ配置されることを特徴とする請求項４に記載のバックライトユニット。
【請求項６】
前記上面、第１及び第２側面の中で少なくとも１つの面に形成されて前記第１光を前記第２光として出射させる光出射パターンをさらに含むことを特徴とする請求項５に記載のバックライトユニット。
【請求項７】
前記上面に前記光出射パターンが提供されず、前記第１及び第２側面に前記光出射パターンが形成される場合、
前記導光バーの中心を厚さ方向に貫通する仮想線に対して＋８０°乃至＋９０°の間及び−８０°乃至−９０°の間に位置する前記第３光はピーク輝度を有し、少なくとも−５０°乃至５０°の範囲での輝度は、前記ピーク輝度の１／８以下の値を有することを特徴とする請求項６に記載のバックライトユニット。
【請求項８】
少なくとも−６０°乃至６０°の範囲での輝度は、前記ピーク輝度の１／１２以下の値を有することを特徴とする請求項７に記載のバックライトユニット。
【請求項９】
前記光出射パターンは、前記上面に提供される第１光出射パターン及び前記第１及び第２側面に提供される第２光出射パターンを含み、
前記第２光出射パターンの密度は、前記第１光出射パターンの密度より大きいことを特徴とする請求項６に記載のバックライトユニット。
【請求項１０】
前記第１及び第２光出射パターンの密度は、前記光源から離れるほど、増加することを特徴とする請求項９に記載のバックライトユニット。
【発明の詳細な説明】
【技術分野】
【０００１】
バックライトユニット及びこれを有する表示装置に関し、より詳細にはスリム化したバックライトユニット及びこれを有する表示装置に関する。
【背景技術】
【０００２】
一般的に、平板型表示装置は画像を表示するための表示パネル、表示パネルに光を供給するためのバックライトユニット、バックライトユニットを収納するためのボトムシャーシを含む。
【０００３】
バックライトユニットは光源の位置にしたがってエッジ型と直下型とに区分される。エッチ型バックライトユニットには直下型に比べて厚さが薄いという長所があるので、携帯型表示装置に多く採用されている。
【０００４】
直下形バックライトユニットは表示パネルの直下部に光源を配置する構造を有する。したがって、直下型バックライトユニットを採用する表示装置の場合、全体的な厚さを減少させ、輝度の均一性を向上させるのに難しさがある。
【先行技術文献】
【特許文献】
【０００５】
【特許文献１】米国特許第８，１２３，３９２号明細書
【特許文献２】米国特許公開第２００８／００８４７０８号明細書
【発明の概要】
【発明が解決しようとする課題】
【０００６】
本発明が解決しようとする技術的な課題は光源の数を減少させることができ、全体的な厚さを減少させながら、輝度の均一性を向上させることができるバックライトユニットを提供することにある。
【０００７】
本発明の他の技術的課題は上記したバックライトユニットを具備する表示装置を提供することにある。
【０００８】
本発明が解決しようとする課題はここに制限されず、言及されないその他の課題は以下の記載から当業者に明確に理解され得る。
【課題を解決するための手段】
【０００９】
本発明の一側面によるバックライトユニットは、第１光を発生する光源と、第１方向に延長され、入射面を通じて第１光を受光して第１方向に第１光をガイドして第１光を第２光として出力する導光バーと、導光バーの第１方向に延長された面に提供され、第２光を第３光に変換させ、第１方向に延長された形状を有し、第３光の出射角を制御する制御パターンと、を含む。
【発明の効果】
【００１０】
本発明によれば、導光バーの一側に光源を具備して点光源を線光源に変更することによって、バックライトユニットに形成される光源の数を低減することができる。また、導光バーの側面に制御パターンを形成して導光バーから出射される光の出射角を制御することによって、導光バーが位置する中央部での輝度上昇を防止することができる。したがって、全体的な厚さを減少させながら、輝度の均一性を向上させることができる。
【図面の簡単な説明】
【００１１】
【図１】本発明の一実施形態によるバックライトユニットの分解斜視図である。
【図２】図１に図示された光源及び導光バーを示した斜視図である。
【図３】図２に図示された切断線Ｉ−Ｉ’に沿って切断した断面図である。
【図４】導光バーから出射される光のプロファイルを示した側面図である。
【図５】出射角による輝度を示したグラフである。
【図６】導光バーから出射される光のプロファイルを示した平面図である。
【図７】本発明の他の実施形態によるバックライトユニットの斜視図である。
【図８】図７に図示された切断線ＩＩ−ＩＩ’に沿って切断した断面図である。
【図９】導光バーから出射される光のプロファイルを示した側面図である。
【図１０】出射角による輝度を示したグラフである。
【図１１】図２に図示された導光バーの上面を正面から見た平面図である。
【図１２】図２に図示された導光バーの側面を正面から見た側面図である。
【図１３Ａ】本発明の他の実施形態による導光バーの形状を示した斜視図である。
【図１３Ｂ】図１３Ａの導光バーを切断線ＩＩＩ−ＩＩＩ’に沿って切断した断面図である。
【図１４Ａ】本発明の他の実施形態による導光バーの形状を示した斜視図である。
【図１４Ｂ】図１４Ａの導光バーを切断線ＩＶ−ＩＶ’に沿って切断した断面図である。
【図１５Ａ】本発明の他の実施形態による導光バーの形状を示した斜視図である。
【図１５Ｂ】図１５Ａの導光バーを切断線Ｖ−Ｖ’に沿って切断した断面図である。
【図１６】本発明の他の実施形態によるバックライトユニットを示した斜視図である。
【図１７】本発明の他の実施形態によるバックライトユニットを示した斜視図である。
【図１８】導光バーの上面を正面から見た平面図である。
【図１９】本発明の他の実施形態による導光バーの上面を正面から見た平面図である。
【図２０】本発明の他の実施形態による導光バーの上面を正面から見た平面図である。
【図２１Ａ】本発明の他の実施形態による光源及び導光バーを示した斜視図である。
【図２１Ｂ】図２１Ａに図示された切断線ＶＩ−ＶＩ’に沿って切断した断面図である。
【図２２Ａ】本発明の他の実施形態による光源及び導光バーを示した斜視図である。
【図２２Ｂ】図２２Ａに図示された切断線ＶＩＩ−ＶＩＩ’に沿って切断した断面図である。
【図２３】図１に図示されたバックライトユニットの平面図である。
【図２４】本発明の他の実施形態によるバックライトユニットの平面図である。
【図２５】本発明の他の実施形態によるバックライトユニットの平面図である。
【図２６】本発明の他の実施形態によるバックライトユニットの平面図である。
【図２７】本発明の他の実施形態によるバックライトユニットの分解斜視図である。
【図２８】図２７に図示された切断線ＶＩＩＩ−ＶＩＩＩ’に沿って切断した断面図である。
【図２９】本発明の他の実施形態による反射シートの平面図である。
【図３０】本発明の他の実施形態による表示装置の分解斜視図である。
【発明を実施するための形態】
【００１２】
以上の本発明の目的、他の目的、特徴及び長所は添付された図面に関連した以下の望ましい実施形態を通じて容易に理解できる。しかし、本発明はここで説明される実施形態に限定されるものではなく、他の形態に具体化されることもあり得る。むしろ、紹介される実施形態は開示された内容が徹底され、完全なものになるように、そして当業者に本発明の思想が十分に伝達され得るようにするために提供される。
【００１３】
本明細書で、何らかの構成要素が他の構成要素上に在ると言及される場合に、それは他の構成要素上に直接形成されるか、又はこれらの間に第３の構成要素が介在されることもあり得ることを意味する。また、図面において、構成要素の厚さは技術的な内容の効果的な説明のために誇張されたものである。
【００１４】
本明細書で使用された用語は実施形態を説明するためのものであり、本発明を制限しようとするものではない。本明細書で単数形は特別に言及しない限り、複数形をも含む。明細書で使用される‘含む（ｃｏｍｐｒｉｓｅ）’及び／又は‘含む（ｃｏｍｐｒｉｓｉｎｇ）’は、１つ以上の他の構成要素の存在又は追加を排除するものではない。
【００１５】
以下、図面を参照して本発明の実施形態について詳細に説明する。
【００１６】
図１は本発明の一実施形態によるバックライトユニットの分解斜視図であり、図２は図１に図示された光源及び導光バーを示した斜視図であり、図３は図２に図示された切断線Ｉ−Ｉ’に沿って切断した断面図である。
【００１７】
図１及び図２を参照すれば、バックライトユニット２００は第１光を発生する光源２１０、光源２１０から第１光を受光して第１方向Ｄ１にガイドする導光バー（ｌｉｇｈｔ  ｇｕｉｄｅ  ｂａｒ）２２０、及び光源２１０と導光バー２２０とを収納するためのボトムシャーシ２５０を包含してもよい。
【００１８】
光源２１０は発光ダイオード（Ｌｉｇｈｔ  Ｅｍｉｔｔｉｎｇ  Ｄｉｏｄｅｓ；ＬＥＤ）であってもよい。図面に図示しなかったが、バックライトユニット２００は光源２１０が実装される支持フィルムをさらに包含してもよい。
【００１９】
導光バー２２０は第１方向Ｄ１に延長されたバー形状である。導光バー２２０は入射面２２１、対向面２２２、上面２２４、底面２２３、第１及び第２側面２２５、２２６を含む。導光バー２２０は一端部に形成された入射面２２１を通じて第１光を受光し、第１光を全反射して第１方向Ｄ１にガイドする。図面に図示しなかったが、導光バー２２０には全反射される第１光を導光バーの内部で上面２２４又は第１及び第２側面２２５、２２６を通じて外部へ光を出射させる光出射パターンが形成される。光出射パターンについては、図１１及び図１２を参照して具体的に説明する。ここで、導光バー２２０の上面２２４、第１及び第２側面２２５、２２６を通じて出力された光を第２光として定義する。
【００２０】
導光バー２２０の一端部と反対側の他端部には対向面２２２が形成される。図１では、対向面２２２に光源２１０が具備されない構造を図示したが、バックライトユニット２００の全体的な光量を増加させるために対向面２２２にも光源２１０が具備されてもよい。
【００２１】
また、底面２２３はボトムシャーシ２５０の底部２５１と対向し、上面２２４は底面２２３と対向し、第１及び第２側面２２５、２２６は底面２２３と上面２２４とを接続する。
【００２２】
図２に示したように、バックライトユニット２００は、導光バー２２０の第１方向Ｄ１に延長された面に提供され、第２光を第３光に変換させる制御パターンを含む。本発明の一例として、制御パターンは導光バー２２０の第１側面２２５に提供された第１制御パターン２３１及び第２側面２２６に提供された第２制御パターン２３２を含む。特に、第１及び第２制御パターン２３１、２３２は第１方向Ｄ１に延長された形状であり、第３光の出射角を制御する。
【００２３】
図３を参照すれば、導光バー２２０を第１方向Ｄ１と直交する第２方向（即ち、導光バー２２０の幅の方向）Ｄ２に切断した時、導光バー２２０の断面は四角形状を有する。図面に図示しなかったが、導光バー２２０の４つの角は丸い形状を有してもよい。
【００２４】
第１及び第２制御パターン２３１、２３２はレンチキュラーレンズ状であってもよい。第１及び第２側面２２５、２２６の各々は複数のレンチキュラーレンズが導光バー２２０の厚さ方向（即ち、第３方向）Ｄ３に連続して配列された構造を有する。
【００２５】
第１及び第２制御パターン２３１、２３２は導光バー２２０の第１及び第２側面２２５、２２６を各々加工して形成してもよい。例えば、第１及び第２側面２２５、２２６にレーザーを照射してレンチキュラーレンズ状の第１及び第２制御パターン２３１、２３２を形成してもよい。
【００２６】
再び図１を参照すれば、バックライトユニット２００は導光バー２２０の上部に配置される複数の光学シート（ｏｐｔｉｃａｌ  ｓｈｅｅｔｓ）２３０をさらに含む。
【００２７】
複数の光学シート２３０は光を拡散させるための拡散シート及び光を集光するための少なくとも１枚の集光シートを含み、第３光の輝度及び視野角を向上させる。図面に図示しなかったが、複数の光学シート２３０はシートの最上側に形成された保護シートをさらに包含してもよい包含してもよい。
【００２８】
ボトムシャーシ２５０は光源２１０及び導光バー２２０が位置する底部２５１及び底部２５１から垂直に延長された側壁２５２を含む。本発明の一例として、ボトムシャーシ２５０は金属材質で形成されてもよい。
【００２９】
図４は導光バーから出射される光のプロファイルを示した側面図であり、図５は出射角による輝度を示したグラフであり、図６は導光バーから出射される光のプロファイルを示した平面図である。
【００３０】
図４は導光バー２２０の入射面２２１を正面から見た時、導光バー２２０から出射される光のプロファイルを示す。図４を参照すれば、光源２１０から発生された第１光は導光バー２２０によってガイドされた後、第１及び第２制御パターン２３１、２３２を通じて導光バー２２０の中心を貫通する中心線ＣＬを基準に右側及び左側に各々出射される。
【００３１】
本発明の一例として、導光バー２２０の第１及び第２側面２２５、２２６に各々形成された第１制御パターン２３１及び第２制御パターン２３２の形状及び密度は互いに同一である。即ち、中心線ＣＬを基準に第１及び第２制御パターン２３１、２３２は対称構造を有する。
【００３２】
ここで、第１制御パターン２３１を通じて出射される光を左側光とし、第２制御パターン２３２を通じて出射される光を右側光として定義する。左側光の出射角は第１制御パターン２３１によって制御され、右側光の出射角は第２制御パターン２３２によって制御される。中心線ＣＬを基準に第１及び第２制御パターン２３１、２３２は対称構造を有するので、左側光及び右側光の出射光分布もやはり中心線ＣＬを基準に対称構造を有する。
【００３３】
図５で、Ｘ軸は中心線ＣＬに対する出射角を示し、Ｙ軸は出射角による輝度を示す。第１グラフＧ１は左側光の出射角による輝度を示し、第２グラフＧ２は右側光の出射角による輝度を示す。
【００３４】
出射角は導光バー２２０の中心を貫通する中心線ＣＬと左／右側光がなす角度と定義する。先に記述したように、第１制御パターン２３１及び第２制御パターン２３２の形状及び密度が互いに同一であるので、左側光と右側光の出射角のプロファイルは類似する。
【００３５】
図５では左側光は出射角が−８５°の付近でピーク輝度Ｐ１を有し、右側光もやはり出射角が＋８５°の付近でピーク輝度Ｐ２を有している。
【００３６】
一方、導光バー２２０の上面２２４に光出射パターンが形成されなかった場合、出射角が０から±２０°までは輝度がほとんど０に近く、特に、−５０°乃至５０°の範囲での輝度はピーク輝度Ｐ１、Ｐ２の１／８以下の値をであった。
【００３７】
このように、導光バー２２０の第１及び第２側面２２５、２２６に第１及び第２制御パターン２３１、２３２を各々形成することによって左／右側光の出射角を制御してもよく、特に、第１制御パターン２３１は左側光のピーク輝度Ｐ１が中心線ＣＬと−８０°乃至−９０°の範囲内に位置するように制御してもよく、第２制御パターン２３２は右側光のピーク輝度Ｐ２が＋８０°乃至＋９０°の範囲内に位置するように制御してもよい。
【００３８】
即ち、第１及び第２制御パターン２３１、２３２は第３光が導光バー２２０が位置する領域（例えば、バックライトユニット２００の中央部）に集中して出射されないようにして、バックライトユニット２００のサイド部側に進行する光量を増加させるために第３光の出射角を制御する。
【００３９】
したがって、図６に示したように、導光バー２２０がバックライトユニット２００の中央部に備えられても、バックライトユニット２００のサイド部Ａ１まで均一に光を供給することができる。
【００４０】
図７は本発明の他の実施形態によるバックライトユニットの斜視図であり、図８は図７に図示された切断線ＩＩ−ＩＩ’に沿って切断した断面図である。但し、図７及び図８に図示された構成要素の中で図２及び図３に図示された構成要素と同じ構成要素に対しては同じ参照符号を付し、それらに対する具体的な説明は省略する。
【００４１】
図７及び図８を参照すれば、本発明の他の実施形態によるバックライトユニット２００は導光バー２２０の第１方向Ｄ１に延長された面に提供され、第２光を第３光に変換する制御パターンを含む。本発明の一例として、制御パターンは導光バー２２０の第１側面２２５に提供された第３制御パターン２３３及び第２側面２２６に提供された第４制御パターン２３４を含む。特に、第３及び第４制御パターン２３３、２３４は第１方向Ｄ１に延長された形状であり、第３光の出射角を制御する。
【００４２】
導光バー２２０を第１方向Ｄ１と直交する第２方向Ｄ２に切断したとき、導光バー２２０の断面は四角形状を有する。
【００４３】
ここで、第３及び第４制御パターン２３１、２３２はプリズム形状を有する。第１及び第２側面２２５、２２６の各々は複数のプリズムが第３方向Ｄ３に連続して配列された構造を有する。
【００４４】
図９は導光バーから出射される光のプロファイルを示した側面図であり、図１０は出射角による輝度を示したグラフである。
【００４５】
図９は導光バー２２０の入射面２２１を正面から見たとき、導光バー２２０から出射される光のプロファイルを示す。図９を参照すれば、光源２１０から発生した第１光は導光バー２２０によってガイドされた後、第３及び第４制御パターン２３３、２３４を通じて導光バー２２０の中心を貫通する中心線ＣＬを基準に右側及び左側に各々出射される。本発明の一例として、第３及び第４制御パターン２３３、２３４は中心線ＣＬを基準に対称構造を有する。
【００４６】
第３制御パターン２３３を通じて出射される光を左側光とし、第４制御パターン２３２を通じて出射される光を右側光として定義する。左側光の出射角は第３制御パターン２３３によって制御され、右側光の出射角は第４制御パターン２３４によって制御される。中心線ＣＬを基準に第３及び第４制御パターン２３３、２３４は対称構造を有するので、左側光及び右側光の出射光分布もやはり中心線ＣＬを基準に対称構造を有する。
【００４７】
図１０で、Ｘ軸は中心線に対する角度を示し、Ｙ軸は角度による輝度を示す。第３グラフＧ３は左側光の出射角による輝度を示し、第４グラフＧ４は右側光の出射角による輝度を示す。
【００４８】
出射角は導光バー２２０の中心を貫通する中心線ＣＬと左／右側光とがなす角度として定義する。第３制御パターン２３３及び第４制御パターン２３４の形状及び密度が互いに同一であるので、左側光と右側光の出射角のプロファイルは類似する。
【００４９】
図１０では左側光は出射角が−８５°の付近でピーク輝度Ｐ３を有し、右側光は出射角が＋８５°の付近でピーク輝度Ｐ４を有する。
【００５０】
一方、図５及び図１０では導光バー２２０の上面２２４に光出射パターンが形成しない場合を例として測定したものであるが、出射角が０から±４５°までの範囲での輝度はほとんど０に近く、−６０°乃至６０°の範囲での輝度はピーク輝度Ｐ３、Ｐ４の１／１２以下の値であった。
【００５１】
このように、導光バー２２０の第１及び第２側面２２５、２２６に第３及び第４制御パターン２３１、２３２を各々形成することによって左／右側光の出射角を制御してもよく、特に、第３制御パターン２３３は左側光のピーク輝度Ｐ３が中心線ＣＬと−８０°乃至−９０°の範囲内に位置するように制御してもよく、第４制御パターン２３４は右側光のピーク輝度Ｐ２が＋８０°乃至＋９０°の範囲内に位置するように制御してもよい。
【００５２】
特に、プリズム形状を有する第３及び第４制御パターン２３３、２３４が形成される第２実施形態の場合には、レンチキュラーレンズ形状を有する第１及び第２制御パターン２３１、２３２が形成される第１実施形態の場合よりも、ピーク輝度が上昇する。また、第２実施形態の場合、第１実施形態の場合よりも、ゼロ（ｚｅｒｏ）の輝度の範囲が−２０°乃至＋２０°から−４５°乃至＋４５°へと広くなっている。
【００５３】
図１１は図２に図示された導光バーの上面を正面から見た平面図であり、図１２は図２に図示された導光バーの側面を正面から見た側面図である。
【００５４】
図１１を参照すれば、導光バー２２０の上面２２４には第１光を導光バー２２０の上側に出射させる上側光出射パターン２２４ａが形成される。上側光出射パターン２２４ａの密度によって出射角が０°から±４５°の範囲での輝度を変化させてもよい。即ち、上側光出射パターン２２４ａの密度を増加させて０°から±４５°の範囲の輝度を増加させてもよく、上側光出射パターン２２４ａの密度を減少させて０°から±４５°の範囲の輝度を減少させてもよい。したがって、０°から±４５°の範囲の輝度を設定して、上側光出射パターン２２４ａの密度を調節してもよい。
【００５５】
また、上側光出射パターン２２４ａの密度は光源２１０からの距離によって変わる。例えば、上側光出射パターン２２４ａの密度が光源２１０からの距離に関わらず同一に設定されれば、光源が位置する入射面２２１側では輝度が高くなる反面、対向面２２２側では輝度が入射面２２１より低くなって輝度の均一性が低下する。したがって、光源２１０からの距離が大きくなるほど、密度が増加するように上面２２４に上側光出射パターン２２４ａを形成すれば、入射面２２１と対向面２２２との間の輝度ばらつきを減少することしてもよく、その結果、輝度の均一性を向上させてもよい。
【００５６】
図１２を参照すれば、導光バー２２０の第１側面２２５には第１光を導光バー２２０の左側に出射させる第１光出射パターン（図示せず）が形成され、第２側面２２６には第１光を、導光バー２２０を基準として右側に出射させる第２光出射パターン２２６ａが形成される。図１２では第２光出射パターン２２６ａのみを図示したが、第１光出射パターンは第２光出射パターン２２６ａと類似な形状を有するので、別の図面に図示することは省略する。
【００５７】
第２光出射パターン２２６ａの密度は光源２１０からの距離によって変わる。例えば、第２光出射パターン２２６ａの密度が光源２１０からの距離に関わらず同様に設定されれば、光源が位置する入射面２２１側では輝度が高くなる反面、対向面２２２側では輝度が入射面２２１より低くなって輝度の均一性が低下する。したがって、光源２１０からの距離が大きくなるほど密度が増加するように、第２側面２２６に第２光出射パターン２２６ａを形成して、入射面２２１と対向面２２２との間の輝度のばらつきを減少させてもよく、その結果、輝度の均一性を向上させてもよい。
【００５８】
また、第１及び第２側面２２５、２２６の光出射効率を上面の光出射効率より増加させるために、第１光出射パターン（図示せず）及び第２光出射パターン２２６ａの密度を上側光出射パターンの密度より増加させる。
【００５９】
図１３Ａは本発明の他の実施形態による導光バーの形状を示した斜視図であり、図１３Ｂは図１３Ａの導光バーを切断線ＩＩＩ−ＩＩＩ’に沿って切断した断面図である。
【００６０】
図１３Ａ及び図１３Ｂを参照すれば、本発明の他の実施形態による導光バー２４０は三角形のプリズム形状である。導光バー２４０は底面２４１、底面２４１の両端部から延長されて接合される第１及び第２側面２４２、２４３を含む。第１及び第２側面２４２、２４３が接合されて形成された角をピッチＰ’３として定義する。
【００６１】
底面２４１はボトムシャーシ２５０の底部（２５１、図１参照）と接する面であり、第１及び第２側面２４２、２４３には第１及び第２制御パターン２３１、２３２が各々形成されている。
【００６２】
本発明の一例として、第１及び第２制御パターン２３１、２３２の各々は複数のレンチキュラーレンズまたは複数のプリズムを含んでもよい。
【００６３】
また、第１及び第２制御パターン２３１、２３２は底面２４１からピッチＰ３に向かうにつれて、その密度が変わる。例えば、第１及び第２制御パターン２３１、２３２の密度は底面２４１に隣接する部分で相対的に高い値を有し、ピッチＰ’３に隣接する部分で相対的に低い値を有する。しかし、第１及び第２制御パターン２３１、２３２の密度はこれに限定されない。即ち、他の実施形態において、底面２４１に隣接する部分で相対的に密度が低く、ピッチＰ３に隣接する部分で相対的に密度が高く、第１及び第２制御パターン２３１、２３２が形成されてもよく、或いは第１及び第２側面２４２、２４３の中心部で最も高い密度を有するように第１及び第２制御パターン２３１、２３２が形成されてもよい。
【００６４】
また、第１及び第２制御パターン２３１、２３２の密度はレンチキュラーレンズのサイズ又は数等によってコントロールしてもよい。図１３Ａ及び図１３Ｂでは本発明の一例としてレンチキュラーレンズのサイズがピッチＰ’３から底面２４１に向かうにつれて、増加される場合を図示した。しかし、レンチキュラーレンズサイズは同じで、レンズ間の間隔をピッチＰ’３から底面２４１に向かうにつれて、狭くしてもよく，或いはレンチキュラーレンズの各々の高さがピッチＰ’３から底面２４１に向かうにつれて、増加させてもよい。
【００６５】
第１及び第２制御パターン２３１、２３２の密度を領域別に調節することによって、導光バー２４０の正面又はサイドに出射される光量を制御することができる。
【００６６】
図１４Ａは本発明の他の実施形態による導光バーの形状を示した斜視図であり、図１４Ｂは図１４Ａの導光バーを切断線ＩＶ−ＩＶ’に沿って切断した断面図である。
【００６７】
図１４Ａ及び図１４Ｂを参照すれば、本発明の他の実施形態による導光バー２６０は五角形のプリズム形状である。導光バー２６０は底面２６１、底面２６１の両端部から各々延長された第１及び第２下側面２６２、２６３、第１下側面２６２から延長された第１上側面２６４、及び第２下側面２６３から延長されて第１上側面２６４と接合する第２上側面２６５を含む。第１及び第２上側面２６４、２６５が接合されて形成された角をピッチＰ’４として定義する。
【００６８】
第１及び第２下側面２６２、２６３には第１及び第２制御パターン２３１、２３２が各々形成され、第１及び第２上側面２６４、２６５には第３及び第４制御パターン２３５、２３６が各々形成される。
【００６９】
第１乃至第４制御パターン２３１、２３２、２３５、２３６の各々は複数のレンチキュラーレンズ又は複数のプリズムで形成されてもよく、図１４Ａ及び図１４Ｂではレンチキュラーレンズで形成された構造を図示した。
【００７０】
第１及び第２下側面２６２、２６３には第１及び第２制御パターン２３１、２３２が第１密度に形成されると、第１及び第２上側面２６４、２６５には第３及び第４制御パターン２３５、２３６が第１密度と異なる第２密度に各々形成される。
【００７１】
図１４Ａ及び図１４Ｂで、第１乃至第４制御パターン２３１、２３２、２３５、２３６の各々は同じサイズ及び同じ形状を有する複数のレンチキュラーレンズを含むが、各制御パターン２３１、２３２、２３５、２３６内でレンチキュラーレンズ間の間隔を互いに異なるようにして設定して、制御パターン２３１、２３２、２３５、２３６の密度を調節した構造を開示した。
【００７２】
このように、第１及び第２下側面２６２、２６３及び第１及び第２上側面２６４、２６５に形成される制御パターンの密度を調節することによって、導光バー２６０の正面又はサイドに出射される光量を制御することができる。
【００７３】
図１５Ａは本発明の他の実施形態による導光バーの形状を示した斜視図であり、図１５Ｂは図１５Ａの導光バーを切断線Ｖ−Ｖ’に沿って切断した断面図である。
【００７４】
図１５Ａ及び図１５Ｂを参照すれば、本発明の他の実施形態による導光バー２７０は半円形状である。導光バー２７０は底面２７１及び底面２７１から半円状に曲がった曲面２７２を含む。曲面２７２には制御パターン２３７が形成される。制御パターン２３７は複数のレンチキュラーレンズ又は複数のプリズムを包含してもよいが、図１５Ａ及び図１５Ｂではレンチキュラーレンズで形成された構造を図示した。
【００７５】
制御パターン２３７の密度は曲面２７２のピッチ（即ち、底面２７１との垂直距離が最も高い地点）に向かうにつれて、減少する。したがって、導光バー２７０の正面に出射される光量を減少させ、サイドに出射される光量を増加させて輝度の均一性を向上させることができる。
【００７６】
図１６は本発明の他の実施形態によるバックライトユニットを示した斜視図である。
【００７７】
図１６を参照すれば、本発明の他の実施形態によるバックライトユニット２００ａは第１光源２１０、第２光源２１３及び導光バー２２０を含む。導光バー２２０は一方向に延長されたバー状に形成され、第１光源２１０は導光バー２２０の一端部に隣接して配置され、第２光源２１３は導光バー２２０の他端部に隣接して配置される。
【００７８】
導光バー２２０は一端部に第１光源２１０から出力された光を受光する第１入射面２２１を具備し、他端部に第２光源２１３から出力された光を受光する第２入射面２２７を具備する。
【００７９】
導光バー２２０は第１及び第２入射面２２１、２２７を通じて第１及び第２光源２１０、２１３から光を受光して奥行き方向にガイドする。
【００８０】
図１６には図示していないが、導光バー２２０の第１及び第２側面２２５、２２６には第１及び第２制御パターン２３１、２３２が各々提供され、ガイドされた光は第１及び第２制御パターン２３１、２３２によって外部へ出射される。
【００８１】
このように、導光バー２２０の両端部に２つの光源２１０、２１３を各々配置してバックライトユニット２００ａの全体的な輝度を増加させてもよい。
【００８２】
図１７は本発明の他の実施形態によるバックライトユニットを示した斜視図である。
【００８３】
図１７を参照すれば、本発明の他の実施形態によるバックライトユニット２００ｂは第１光源２１０、第２光源２１３及び導光バー２２０を含む。導光バー２２０は一方向に延長されたバー状に形成され、第１及び第２光源２１０、２１３は導光バー２２０の一端部に隣接して配置されている。
【００８４】
導光バー２２０は一端部に第１及び第２光源２１０、２１３から出力された光を受光する入射面２２１を具備する。このように、入射面２２１に形成される光源の数が増加すれば、入射面２２１の幅（即ち導光バー２２０の幅）が増加される。
【００８５】
導光バー２２０は入射面２２１を通じて第１及び第２光源２１０、２１３から光を受光して奥行き方向にガイドする。
【００８６】
図１８は導光バーの上面を正面から見た平面図である。
【００８７】
図１８を参照すれば、導光バー２２０の一端部に隣接して光源２１０が配置される。導光バー２２０の上面２２４は第１方向Ｄ１に延長された長方形状を有する。また、上面２２４の第２方向Ｄ２への幅は一定である。したがって、導光バー２２０の入射面２２１と対向面２２２との幅は互いに同一である。
【００８８】
図１９は本発明の他の実施形態による導光バーの上面を正面から見た平面図である。
【００８９】
図１９を参照すれば、本発明の他の実施形態による導光バー２２０の上面２２４は第１方向Ｄ１に向かうにつれて、第２方向Ｄ２への幅が一定の割合で減少している。導光バー２２０の一端部に隣接して光源２１０が配置され、上面２２４の第２方向Ｄ２への幅は光源から遠くなるほど、減少する。したがって、導光バー２２０の入射面２２１の幅は対向面２２２の幅より大きくなる。
【００９０】
また、第１及び第２側面２２５、２２６は導光バー２２０の外側に位置する仮想の特定地点に収斂するように傾いてもよい。このように、第１及び第２側面２２５、２２６の距離が光源２１０から遠くなるほど、互いに近くなる場合、導光バー２２０で光源２１０から遠い対向部で輝度が低下することを防止することができる。即ち、入光部と対向部との間の輝度のばらつきを減少させることができる。
【００９１】
図２０は本発明の他の実施形態による導光バーの上面を正面から見た平面図である。
【００９２】
図２０を参照すれば、導光バー２２０の一端部に隣接して第１光源２１０が配置され、導光バー２２０の他端部に隣接して第２光源２１３が配置される。導光バー２２０の上面２２４は分離線ＢＬを基準に第１及び第２領域Ｔ１、Ｔ２に分割される。第１領域Ｔ１で上面２２４の第２方向Ｄ２への幅は第１光源２１０から遠くなるほど、減少し、第２領域Ｔ２で上面２２４の第２方向Ｄ２への幅は第２光源２１３から遠くなるほど、減少する。
【００９３】
また、第１側面２２５は第１領域Ｔ１に位置して第２側面２２６側に傾いた第１サブ側面２２５ａ及び第２領域Ｔ２に位置して第２側面２２６側に傾いた第２サブ側面２２５ｂを含む。第２側面２２６は第１領域Ｔ１に位置して第１側面２２５側に傾いた第３サブ側面２２６ａ及び第２領域Ｔ２に位置して第１側面２２５側に傾いた第４サブ側面２２６ｂを含む。
【００９４】
第１及び第３サブ側面２２５ａ、２２６ａは分離線ＢＬを基準に右側に位置する仮想の特定地点に収斂するように傾き、第２及び第４サブ側面２２５ｂ、２２６ｂは分離線ＢＬを基準に左側に位置する仮想の特定地点に収斂するように傾いている。このように、導光バー２２０の両端部に第１及び第２光源２１０、２１３が位置する場合、第１及び第２光源２１０、２１３から離れた中央部の輝度が第１及び第２入光部より低下することを防止することができる。即ち、第１及び第２入光部と中央部との間の輝度のばらつきを減少させることができる。
【００９５】
図２１Ａは本発明の他の実施形態による光源及び導光バーを示した斜視図であり、図２１Ｂは図２１Ａに図示された切断線ＶＩ−ＶＩ’に沿って切断した断面図である。
【００９６】
図２１Ａ及び図２１Ｂを参照すれば、本発明の他の実施形態による導光バー２８０は一側面２８１に光源収納溝２１５を具備する。光源収納溝２１５は一側面２８１から導光バー２８０の内側へ陥没されて形成され、光源収納溝２１５の内部には光源２１０が収納される。したがって、光源２１０から光を受光する入射面２８１ａは光源収納溝２１５を定義する面の中で光源２１０の発光面２１１と対向する面となり、したがって入射面２８１ａは導光バー２８０の内部に位置する。
【００９７】
導光バー２８０の第１及び第２側面２８２、２８３には第１及び第２制御パターン２３１、２３２が各々形成される。第１及び第２制御パターン２３１、２３２については先に記述した内容と重複するので、具体的な説明は省略する。
【００９８】
図２１Ｂに示したように、光源２１０は印刷回路基板又は軟性回路フィルムで形成されたベース基板２１８上に実装される。光源２１０が実装されたベース基板２１８は光源収納溝２１５が形成された一側面２８１に付着され固定される。
【００９９】
したがって、導光バー２８０が熱によって収縮又は膨脹したとき、光源２１０が導光バー２８０と共に移動することができ、その結果、光源２１０と入射面２８１ａとの間のギャップ（ｇａｐ）が導光バー２８０の熱による収縮又は膨張によって変化することを防止することができる。
【０１００】
また、光源２１０の発光面２１１と入射面２８１ａとが密着されるように光源収納溝２１５の深さを調節することによって、光源２１０から生成された光の漏洩を最小にすることができる。
【０１０１】
図２２Ａは本発明の他の実施形態による光源及び導光バーを示した斜視図であり、図２２Ｂは図２２Ａに図示された切断線ＶＩＩ−ＶＩＩ’に沿って切断した断面図である。
【０１０２】
図２２Ａ及び図２２Ｂを参照すれば、本発明の他の実施形態による導光バー２９０は底面２９１に光源収納溝２１５を具備する。光源収納溝２１５は底面２９１から導光バー２９０の上面２９２側に陥没されて形成され、光源収納溝２１５の内部には光源２１０が収納される。したがって、光源２１０から光を受光する入射面２９１ａは光源収納溝２１５を定義する面の中で光源２１０の発光面２１１と対向する面となり、したがって入射面２９１ａは導光バー２９０の内部に位置する。
【０１０３】
導光バー２９０の第１及び第２側面２９３、２９４には第１及び第２制御パターン２３１、２３２が各々形成される。第１及び第２制御パターン２３１、２３２については先に記述した内容と重複するので、具体的な説明は省略する。
【０１０４】
図２２Ｂに示したように、光源２１０は印刷回路基板又は軟性回路フィルムで形成されたベース基板２１８上に実装される。光源２１０が実装されたベース基板２１８は光源収納溝２１５が形成された底面２９１に付着され固定される。
【０１０５】
したがって、導光バー２９０が熱によって収縮又は膨脹したとき、光源２１０が導光バー２９０と共に移動することができ、その結果、光源２１０と入射面２９１ａとの間のギャップ（ｇａｐ）が導光バー２９０の熱による収縮又は膨張によって変化することを防止することができる。
【０１０６】
図２２Ａ及び図２２Ｂでは光源収納溝２１５が底面２９１から上面２９２側に陥没されて形成された構造を図示した。図面に図示しなかったが、本発明の他の実施形態として光源収納溝２１５は上面２９２から底面２９１側に陥没されて形成されてもよい。この場合、光源２１０が実装されるベース基板２１８は上面２９２に固定される。
【０１０７】
図２３は図１に図示されたバックライトユニットの平面図である。
【０１０８】
図２３を参照すれば、ボトムシャーシ２５０の底部２５１には光源２１０及び導光バー２２０が収納される。平面から見た時、ボトムシャーシ２５０が第１方向Ｄ１に延長された長方形構造を有し、導光バー２２０は第１方向Ｄ１に延長される。
【０１０９】
導光バー２２０は底部２５１を第１方向Ｄ１に二等分した中央部に位置し、光源２１０は支持フィルム（図示せず）に実装されてボトムシャーシ２５０の内側壁又は底部２５１に固定される。図面に図示しなかったが、導光バー２２０はクリップ又は別の接着部材等を通じてボトムシャーシ２５０の底部２５１に固定されてもよい。
【０１１０】
図２４は本発明の他の実施形態によるバックライトユニットの平面図である。
【０１１１】
図２４を参照すれば、本発明の他の実施形態によるバックライトユニットは複数個の導光バー２２０−１〜２２０−ｎを包含してもよい。導光バー２２０−１〜２２０−ｎは第１方向Ｄ１に延長され、第１方向Ｄ１と直交する第２方向Ｄ２に並行に配列される。
【０１１２】
この場合、バックライトユニットは複数個の光源２１０−１〜２１０−ｎを含む。複数個の光源２１０−１〜２１０−ｎは第２方向Ｄ２に所定の間隔で離隔されて配列され対応する導光バーの入射面と対向する。
【０１１３】
バックライトユニットに形成される導光バー２２０−１〜２２０−ｎ及び光源２１０−１〜２１０−ｎの数は所望する光量によって変えてもよい。
【０１１４】
図２５は本発明の他の実施形態によるバックライトユニットの平面図である。
【０１１５】
図２５を参照すれば、ボトムシャーシ２５０の底部２５１には光源２１０及び導光バー２２０が収納される。平面から見た時、ボトムシャーシ２５０が第１方向Ｄ１に延長された長方形構造を有する場合、導光バー２２０は第１方向Ｄ１と直交する第２方向Ｄ２に延長されたバー形態で形成される。
【０１１６】
導光バー２２０は底部２５１を第２方向Ｄ２に二等分した中央部に位置し、光源２１０は支持フィルム（図示せず）に実装されてボトムシャーシ２５０の内側壁又は底部２５１に固定される。図面に図示しなかったが、導光バー２２０はクリップ又は別の接着部材等を通じてボトムシャーシ２５０の底部２５１に固定されてもよい。
【０１１７】
図２６は本発明の他の実施形態によるバックライトユニットの平面図である。
【０１１８】
図２６を参照すれば、本発明の他の実施形態によるバックライトユニットは複数個の導光バー２２０−１〜２２０−ｎを包含してもよい。導光バー２２０−１〜２２０−ｎは第２方向Ｄ２に延長され、第１方向Ｄ１に互いに並行に配列される。
【０１１９】
この場合、バックライトユニットは複数の光源２１０−１〜２１０−ｎを含む。複数個の光源２１０−１〜２１０−ｎは第１方向Ｄ１に所定の間隔で離隔されて配列され対応する導光バーの入射面と対向する。
【０１２０】
バックライトユニットに形成される導光バー２２０−１〜２２０−ｎ及び光源２１０−１〜２１０−ｎの数は所望する光量によって変えてもよい。
【０１２１】
図２７は本発明の他の実施形態によるバックライトユニットの分解斜視図である。
【０１２２】
図２７を参照すれば、本発明の他の実施形態によるバックライトユニット２００ｃは拡散板２３５及び反射シート２３８をさらに包含してもよい。
【０１２３】
拡散板２３５は導光バー２２０と光学シート２３０との間に介在して導光バー２２０の中央部と導光バー２２０が位置しないバックライトユニット２００ｃのサイドとの間の輝度のばらつきを補償する。拡散板２３５以外にも導光バー２２０と光学シート２３０との間にはフラッタ（ｆｌａｔｔｅｒ）がさらに形成されてもよく、或いは拡散板２３５がフラッタに代替されてもよい。
【０１２４】
反射シート２３８はボトムシャーシ２５０の底部２５１上に配置されてもよく、反射シート２３８上に導光バー２２０が配置されてもよい。反射シート２３８は導光バー２２０から出射された光を反射する役割を遂行する。
【０１２５】
図２８は図２７に図示された切断線ＶＩＩＩ−ＶＩＩＩ’に沿って切断した断面図である。
【０１２６】
図２８を参照すれば、反射シート２３８の上面２３８ａには反射パターン２３８ｂが形成されている。図２８では反射パターン２３８ｂが上面２３８ａから陽刻の形態に形成された構造を図示したが、反射パターン２３８ｂは陰刻の形態に形成されてもよい。反射パターン２３８ｂは導光バー２２０の第１及び第２制御パターン２３１、２３２を通じて出力された光を屈折又は反射させて拡散板２３５側にガイドする役割を果たす。したがって、バックライトユニット２００ｃの光出射効率を向上させることができる。
【０１２７】
反射パターン２３８ｂの密度が導光バー２２０を基準に遠くなるほど増加するように、反射パターン２３８ｂのサイズ、高さ又は間隔を調節してもよい。反射パターン２３８ｂの密度の調節はこれに制限されず、バックライトユニット２００ｃの全体的な輝度の均一性を向上させるために反射パターン２３８ｂの密度を多様に調節することができる。
【０１２８】
また、反射パターン２３８ｂの形状も図２８に図示された三角形状に制限されず、多様に変形されて実施可能である。
【０１２９】
図２９は本発明の他の実施形態による反射シートの平面図である。
【０１３０】
図２９を参照すれば、本発明の他の実施形態による反射シート２３８は上面２３８ａに形成された吸収パターン２３８ｃをさらに包含してもよい。吸収パターン２３８ｃは導光バー２２０から出力された光を吸収するためのものであって、相対的に輝度が高い領域に形成されて、バックライトユニット２００ｃの全体的な輝度の均一性を向上させることができる。
【０１３１】
図２９では吸収パターン２３８ｃが導光バー２２０の隣接領域に形成された構造を図示したが、これに制限されない。
【０１３２】
図３０は本発明の他の実施形態による表示装置の分解斜視図である。
【０１３３】
図３０を参照すれば、表示装置１０００は表示ユニット１００及びバックライトユニット２００ｃを含む。
【０１３４】
表示ユニット１００は画像を表示する表示パネル１０６、表示パネル１０６に駆動信号を提供する駆動チップ１０８及び表示パネル１０６に電気的に接続される印刷回路基板１１０を含む。
【０１３５】
表示パネル１０６は第１基板１０２、第１基板１０２と対向して接合する第２基板１０４、及び第１基板１０２と第２基板１０４との間に介在される液晶層（図示せず）を含む。本発明の一例として、図３０では表示パネル１０６が液晶表示パネルから形成された場合を図示したが、表示パネル１０６は液晶表示パネルに限定されない。
【０１３６】
第１基板１０２には複数の画素がマトリックス状に具備され、複数の画素の各々はゲートライン（図示せず）、ゲートラインと絶縁されて交差するデータライン（図示せず）及び画素電極（図示せず）を具備する。また、各画素には薄膜トランジスタ（図示せず）が具備されて、ゲートライン、データライン及び画素電極に接続される。
【０１３７】
第２基板１０４には色画素であるＲＧＢ（Ｒｅｄ  Ｇｒｅｅｎ  Ｂｌｕｅ）画素（図示せず）及び画素電極と対向する共通電極（図示せず）が形成される。色画素と共通電極とは第１基板１０２に形成されてもよい。液晶層は画素電極及び共通電極間に形成された電界の大きさにしたがって配列されることによって、バックライトユニット２００ｃから提供される光の透過率を調節して所望の階調を表示することができる。
【０１３８】
平面から見る時、第１基板１０２の一側にはデータラインにデータ信号を印加するための駆動チップ１０８が具備されてもよい。駆動チップ１０８は外部信号に応答して表示パネル１０６のデータラインに印加されるためのデータ信号を発生させる。外部信号は印刷回路基板１１０から供給された信号であり、外部信号としては画像信号、各種の制御信号、駆動電圧等が包含されてもよい。
【０１３９】
第１基板１０２は他の一側に提供されてゲートラインにゲート信号を印加するゲート駆動回路を含む。ゲート駆動回路は表示パネル１０６を形成する薄膜工程を通じて他の一側に形成されてもよい。したがって、ゲート駆動回路は表示パネル１０６内に内装されてもよい。
【０１４０】
本発明の他の実施形態においては、駆動チップ１０８はデータ駆動チップとゲート駆動チップとに分離された２つ以上のチップから構成されてもよく、チップオンガラス（Ｃｈｉｐ  ｏｎ  Ｇｌａｓｓ）工程によって第１基板１０２上に実装されてもよい。
【０１４１】
印刷回路基板１１０は複数のテープキャリアパッケージ（Ｔａｐｅ  Ｃａｒｒｉｅｒ  Ｐａｃｋａｇｅ；ＴＣＰ）１０９によって表示パネル１０６と電気的に接続されてもよい。駆動チップ１０８はＴＣＰ１０９上に実装されてもよい。ＴＣＰ１０９はバックライトユニット２００ｃの側面を囲むように折曲されもよい。
【０１４２】
ＴＣＰ１０９と接続された印刷回路基板１１０はバックライトユニット２００ｃの下部に配置される。この場合、表示装置１０００はバックライトユニット２００ｃ下部に配置されて印刷回路基板１１０を保護するためのシールドケース（図示せず）をさらに包含してもよい。図面に図示しなかったが、印刷回路基板１１０はバックライトユニット２００ｃの側壁に配置されてもよい。
【０１４３】
バックライトユニット２００ｃについては図１乃至図２７を参照して具体的に説明したので、バックライトユニット２００ｃについての説明は省略する。但し、図１乃至図２７を参照して記述された様々な実施形態を表示装置１０００に適用することができる。
【０１４４】
図面に図示しなかったが、表示装置１０００はボトムシャーシ２５０と対向して接合され、表示パネル１０６の縁をカバーするトップカバーをさらに包含してもよい。
【０１４５】
以上実施形態を参照して説明したが、該当技術分野の熟練された当業者は下記の特許請求の範囲に記載された本発明の思想及び領域から逸脱しない範囲内で本発明を多様に修正及び変更させ得ることを理解できる。
【符号の説明】
【０１４６】
２００、２００ａ、２００ｂ、２００ｃ・・・バックライトユニット
２１０・・・光源
２１１・・・発光面
２１５・・・光源収納溝
２１８・・・ベース基板
２２０・・・導光バー
２２１・・・入射面
２２２・・・対向面
２２３・・・底面
２２４・・・上面
２３０・・・光学シート
２３１、２３２、２３３、２３４・・・制御パターン
２３５・・・拡散板
２３８・・・反射シート
２５０・・・ボトムシャーシ
１０００・・・表示装置
【図１】
2015118937.tif 000003
【図２】
2015118937.tif 000004
【図３】
2015118937.tif 000005
【図５】
2015118937.tif 000006
【図７】
2015118937.tif 000007
【図８】
2015118937.tif 000008
【図１０】
2015118937.tif 000009
【図１１】
2015118937.tif 000010
【図１２】
2015118937.tif 000011
【図１３Ａ】
2015118937.tif 000012
【図１３Ｂ】
2015118937.tif 000013
【図１４Ａ】
2015118937.tif 000014
【図１４Ｂ】
2015118937.tif 000015
【図１５Ａ】
2015118937.tif 000016
【図１５Ｂ】
2015118937.tif 000017
【図１６】
2015118937.tif 000018
【図１７】
2015118937.tif 000019
【図１８】
2015118937.tif 000020
【図１９】
2015118937.tif 000021
【図２０】
2015118937.tif 000022
【図２１Ａ】
2015118937.tif 000023
【図２１Ｂ】
2015118937.tif 000024
【図２２Ａ】
2015118937.tif 000025
【図２２Ｂ】
2015118937.tif 000026
【図２３】
2015118937.tif 000027
【図２４】
2015118937.tif 000028
【図２５】
2015118937.tif 000029
【図２６】
2015118937.tif 000030
【図２７】
2015118937.tif 000031
【図２８】
2015118937.tif 000032
【図２９】
2015118937.tif 000033
【図３０】
2015118937.tif 000034
【図４】
2015118937.tif 000035
【図６】
2015118937.tif 000036
【図９】
2015118937.tif 000037